(57)【特許請求の範囲】
【請求項１】
壁面４面により周囲を仕切られる喫煙室であって，
一壁面に灰皿を配置させるテーブルを設け，
前記一壁面の前記テーブルよりも下方に，風速０．３〜０．７ｍ／ｓｅｃで室内に向けて給気する給気口を設け，
前記一壁面の前記テーブルよりも上方における下部および天井面の前記一壁面寄りの箇所に，室内の空気を吸引排気する排気口を設け，
前記一壁面の前記テーブルよりも上方に排気チャンバを形成し，
前記一壁面の前記テーブルよりも上方における上部を喫煙者の視覚に訴える部分とし，もしくはホワイトボードとして構成とし，
前記排気チャンバ内に，電装機器類または電線類が納められていることを特徴とする，喫煙室。
【請求項２】
壁面４面により周囲を仕切られる喫煙室であって，
一壁面と該一壁面に対向する他の一壁面に灰皿を配置させるテーブルをそれぞれ設け，
前記一壁面と前記他の一壁面の前記テーブルよりも下方に，風速０．３〜０．７ｍ／ｓｅｃで室内に向けて給気する給気口をそれぞれ設け，
前記一壁面の前記テーブルよりも上方における下部および天井面の前記一壁面寄りの箇所と，前記他の一壁面の前記テーブルよりも上方における下部および天井面の前記他の一壁面寄りの箇所に，室内の空気を吸引排気する排気口をそれぞれ設け，
前記一壁面と前記他の一壁面の前記テーブルよりも上方に排気チャンバをそれぞれ形成し，
前記一壁面の前記テーブルよりも上方における上部と前記他の一壁面の前記テーブルよりも上方における上部を喫煙者の視覚に訴える部分とし，もしくはホワイトボードとして構成とし，
前記排気チャンバ内に，電装機器類または電線類が納められていることを特徴とする，喫煙室。
【請求項３】
前記一壁面の前記テーブルよりも上方における下部および天井面の前記一壁面寄りの箇所を覆う逆断面Ｌ字形状の排気チャンバを設け，および／又は，前記他の一壁面の前記テーブルよりも上方における下部および天井面の前記他の一壁面寄りの箇所を外側から覆う逆断面Ｌ字形状の排気チャンバを設け，該排気チャンバに排気ダクトを接続したことを特徴とする，請求項２に記載の喫煙室。
【請求項４】
前記一壁面と略平行の，前記一壁面および前記天井面に向って流れる空気を部分的に遮る遮蔽体を喫煙室の天井部に設け，前記遮蔽体と喫煙室の天井との間に，開放空間を設けたことを特徴とする，請求項１〜３のいずれかに記載の喫煙室。
【請求項５】
前記遮蔽体として，ロールブラインドを用いたことを特徴とする，請求項４に記載の喫煙室。
【請求項６】
前記遮蔽体として，照明を用いたことを特徴とする，請求項４に記載の喫煙室。
【発明の詳細な説明】
【技術分野】
【０００１】
本発明は，喫煙ブースその他喫煙を許容する空間（以下，本発明において「喫煙室」という）に関する。
【背景技術】
【０００２】
近年，健康増進法の施行により，公共施設などでは喫煙を限られた空間においてのみ許容するようになっている。そして，建物内で分煙のための喫煙室が形成される例が多い。ここでは煙草の煙を喫煙室の外に漏らさないことが重要である。さらに，喫煙室においても，煙草の煙が衣服に付着しないこと，喫煙室内に煙が充満することによって喫煙者が必要とする以上の煙を吸込まないことが望まれる。
【０００３】
一方，例えば分煙に配慮して既存の建物に喫煙室を設けようとする場合，排気処理，例えば排気ダクトの敷設に苦慮することになる。天井裏には既設の配管やダクト，ケーブル類が縦横にめぐらされており，これを迂回する必要がある。この問題は新築建物において天井裏の高さを抑えて建築費を低廉に抑えようとする場合にも共通する。なお，喫煙室内に空気清浄機を設置し，煙を浄化して循環させても効果は限られ，喫煙者のアメニティを考慮すれば排気処理は不可避である。
【０００４】
加えて，建物管理者には排気ファンその他の動力費を抑えて省エネルギーに貢献したいという要望もある。
【０００５】
本出願人の先行技術調査の結果では，（１）灰皿近くに設けた空気吹き出し器で上向き気流を生成させ，対向する排気口から排気するもの（特許文献１），（２）喫煙者の足下近くに空気を吹き出す吹出口と天井近くの吸込口を備えた空気浄化装置を設置し，かつテーブルに上向き気流を生成するミニ送風機を複数設置するもの（特許文献２），（３）同様に下吹出し上吸込み空気清浄機を用い，吸込み風量のうち下部吹出しの給気量と排気量の割合を１：４（吸込量は吹出量の５倍）に分流させるもの（特許文献３）が見出された。
【０００６】
【特許文献１】特開平１０−１７００３６号公報
【特許文献２】特開平５−２３７３２１号公報
【特許文献３】特開平１０−３８１号公報
【発明の開示】
【発明が解決しようとする課題】
【０００７】
しかし，前記した（１）から（３）の発明は，喫煙者が定位置での喫煙をすることを前提としている。実際には喫煙者は喫煙者同士で会話をし，あるいは運動のために喫煙室内を歩行するなど，定位置にとどまることは少ない。この事情は省スペースその他の理由から椅子を設置しない喫煙室では顕著である。また，前記した（１）から（３）の発明では，ミニ送風機や空気清浄機などのコストがかかる。さらに前述した既設建物の盛り替えに際しての融通性については開示していない。
また，喫煙者の喫煙の動機のひとつとして「気分転換」がある。例えばオフィスの喫煙スペースで喫煙者は知己と会話をしたり体を動かしてリフレッシュして自席に戻る。また漫然と時間を過ごすことを嫌う喫煙者らが喫煙室内で簡単な打ち合わせをすることもある。一方，喫煙ブース内に積極的にリフレッシュ等に資する機能を持たせられれば新規な商品を提供できるが，その分のスペースを犠牲にしたくないという要望もある。
【０００８】
本発明の目的は，喫煙室内の喫煙者のアメニティに考慮し，かつこれらを省エネルギーで行えるとともに，喫煙者に着座定着を強いることなく喫煙室内から非喫煙室内への煙の漏洩を防ぎ，しかも施設の盛り替えに柔軟に対応できる喫煙室を廉価に提供することにある。加えて，本発明の目的は，喫煙者に喫煙室内で気分転換をする機能や喫煙の時間を他のことにも使える機能を提供すること，喫煙室内の壁面を有効に利用できるようにすることにある。
【課題を解決するための手段】
【０００９】
本発明によれば，壁面４面により周囲を仕切られる喫煙室であって，一壁面に灰皿を配置させるテーブルを設け，前記一壁面の前記テーブルよりも下方に，風速０．３〜０．７ｍ／ｓｅｃで室内に向けて給気する給気口を設け，前記一壁面の前記テーブルよりも上方における下部および天井面の前記一壁面寄りの箇所に，室内の空気を吸引排気する排気口を設け，前記一壁面の前記テーブルよりも上方に排気チャンバを形成し，前記一壁面の前記テーブルよりも上方における上部を喫煙者の視覚に訴える部分とし，もしくはホワイトボードとして構成とし，前記排気チャンバ内に，電装機器類または電線類が納められていることを特徴とする，喫煙室が提供される。
【００１０】
また，本発明によれば，壁面４面により周囲を仕切られる喫煙室であって，一壁面と該一壁面に対向する他の一壁面に灰皿を配置させるテーブルをそれぞれ設け，前記一壁面と前記他の一壁面の前記テーブルよりも下方に，風速０．３〜０．７ｍ／ｓｅｃで室内に向けて給気する給気口をそれぞれ設け，前記一壁面の前記テーブルよりも上方における下部および天井面の前記一壁面寄りの箇所と，前記他の一壁面の前記テーブルよりも上方における下部および天井面の前記他の一壁面寄りの箇所に，室内の空気を吸引排気する排気口をそれぞれ設け，前記一壁面と前記他の一壁面の前記テーブルよりも上方に排気チャンバをそれぞれ形成し，前記一壁面の前記テーブルよりも上方における上部と前記他の一壁面の前記テーブルよりも上方における上部を喫煙者の視覚に訴える部分とし，もしくはホワイトボードとして構成とし，前記排気チャンバ内に，電装機器類または電線類が納められていることを特徴とする，喫煙室が提供される。
【００１１】
本発明によれば，低速の吹き出しにより室内の喫煙者にドラフトを感じさせず，反転気流により煙を速やかに室内から排除できる。在室者が所定位置にとどまっていなくとも，反転気流に誘引されて煙が排出される。なお，「風速０．３〜０．７ｍ／ｓｅｃで室内に向けて給気する」とは，給気口の給気面（開口面）で計測した風速が０．３〜０．７ｍ／ｓｅｃであることを意味する。通常，給気面で計測する風速は例えば２ｍ／ｓｅｃであるが，本発明では，０．３〜０．７ｍ／ｓｅｃの低速での吹き出しを採用する。低速吹き出しにより省エネルギーに寄与する。「喫煙室」とは，仮設間仕切りやビニールカーテンで空間を区画したいわゆる喫煙ブースのほか，カラオケルームや応接室，その他飲食店の喫煙スペースなど，喫煙を許容する室を指す。
【００１２】
なお，テーブルの上には灰皿を配置させることができる。該テーブルの下方で給気し，テーブルの上方で排気することとなる。喫煙者の視覚に訴える部分とは，例えば，前記一壁面の前記テーブルよりも上方における上部や，前記他の一壁面の前記テーブルよりも上方における上部を，鏡やガラスなどを配置して喫煙者の姿をチェックする機能を果たす部分や，液晶等の表示装置を配置して，建物保有者その他のコマーシャルビデオを映写して宣伝の機能を果たす部分，カレンダーやポスター，絵画を貼って計画のチェックや注意換気，癒し等の働きかけを喫煙者に伝える機能を果たす部分として活用することを意味する。また，ホワイトボードとして構成してもよい。
【００１３】
同一壁面とその近傍の天井面に給気口と排気口を備えるためダクト工事その他の施工が容易で，かつスペースを有効に利用できる。この場合，前記一壁面の前記テーブルよりも上方における下部および天井面の前記一壁面寄りの箇所を覆う逆断面Ｌ字形状の排気チャンバを設け，および／又は，前記他の一壁面の前記テーブルよりも上方における下部および天井面の前記他の一壁面寄りの箇所を外側から覆う逆断面Ｌ字形状の排気チャンバを設け，該排気チャンバに排気ダクトを接続した構成としても良い。
【００１４】
前記一壁面と略平行の，前記一壁面および前記天井面に向って流れる空気を部分的に遮る遮蔽体を喫煙室の天井部に設け，前記遮蔽体と喫煙室の天井との間に，開放空間を設けた構成としても良い。この場合，前記室内に向けて給気した空気が，前記一壁面もしくは前記他の一壁面に向う方向に反転して排気される途中で，前記喫煙室の天井部に設けた遮蔽体の上下を通過することになる。本発明者らの知見によれば，遮蔽体を天井部に設置しない場合，室内天井部近くで煙の渦が発生することが視認された。これが滞留すると喫煙者の頭部への煙の付着するなどのおそれがある。そこで，本発明者らは室の天井部に遮蔽体を設けることで煙渦滞留を未然に防止することに成功した。また喫煙室の在室者が例えば灰皿の位置から離れて移動しても，排気口からの吸引による反転流と遮蔽体周囲の風みちにより有効に排気がなされることが判明した。なお，例えば遮蔽体として，ロールブラインドを用いることができる。また，遮蔽体として，照明を用いることができる。いずれも建物の建築時に使用される資材で容易に入手でき，前者では保守や在室者による高さ調整が可能である。後者では喫煙室内で使用する照明を良好な気流の形成手段として兼用でき，部材点数を削減できる。
【発明の効果】
【００１５】
本発明によれば，喫煙者のアメニティに考慮しつつ喫煙室内から非喫煙空間への煙の漏洩を防ぐことができ，喫煙者に着座定着を強いることなくかつこれらを省エネルギーで行い，しかも施設の盛り替えに柔軟に対応できる喫煙室を廉価に提供できるようになる。また，喫煙室の一壁面や他の一壁面の一部を，コマーシャル等の機能を果たす部分とすることにより，喫煙室内の壁面を有効に利用できるようになる。また，喫煙室に在室者の時間を有効に使え，癒しや気分転換に貢献しまたは意識を誘引して商品等を周知させるという機能を提供できる。また，上部をホワイトボードとして構成すれば,簡単な打ち合わせや会話の話題の要点や具体例を単記でき，能率や興味を増進する。
【発明を実施するための最良の形態】
【００１６】
以下，本発明の好ましい実施の形態を図面を参照に説明する。なお，本明細書および図面において，実質的に同一の機能構成を有する構成要素については，同一の符号を付することにより重複説明を省略する。図１，２は，本発明の実施の形態に係る喫煙室１の構成を説明するための平面図と正面図である。図３は，テーブル２０と給気口２５および排気口２６が設けられている壁面１０ｂを示している。
【００１７】
喫煙室１は，その周囲を壁面４面１０ａ，１０ｂ，１０ｃ，１０ｄで囲み，上下を天井面１１と床面１２で囲むことにより，喫煙をするための仕切られた直方体の空間に形成されている。
【００１８】
図示の喫煙室１では，一つの壁面１０ａにドア１５が設けられている。喫煙者は，このドア１５を開閉することにより，喫煙室１に対して出入りすることができる。このドア１５が閉められると，喫煙室１の内部から外に空気が漏れ出ないようになる。
【００１９】
ドア１５が設けられている壁面１０ａと直交する一方の壁面１０ｂの内側面には，テーブル２０が設けてある。テーブル２０は，喫煙室１に入った喫煙者の腰の高さ近傍に，室内方向に例えば４００ｍｍ程度の奥行きで壁面１０ｂの幅いっぱいに設けられている。この実施の形態では，２５００ｍｍの高さの喫煙室１に対して，テーブル２０の高さを床上９００ｍｍとしている。このテーブル２０の上に灰皿を置くことができる。灰皿はテーブル２０上に固定配置されていても良い。
【００２０】
ドア１５が設けられている壁面１０ａと対向する壁面１０ｃ及びドア１５が設けられている壁面１０ａと直交する他方の壁面１０ｄ（前記一方の壁面１０ｂに対向する他方の壁面１０ｄ）と床面１２は，何れも実質的に喫煙室１の内部から外に空気を流通させない閉鎖面となっている。壁面１０ｃ，１０ｄは，例えばガラス面などとしても良いが，後述する壁面１０ｂと同様なサンドイッチパネルで形成しても良い。
【００２１】
壁面１０ｂには，テーブル２０の下方において風速０．３〜０．７ｍ／ｓｅｃで室内に向けて給気する給気口２５が設けられ，また，テーブル２０の上方において，室内の空気を吸引排気する排気口２６が設けられている。また，天井面１１の壁面１０ｂ寄りの箇所にも，室内の空気を吸引排気する排気口２７が設けられている。これにより，テーブル２０上に置かれる灰皿の高さ位置の下方に給気口２５が位置し，灰皿の高さ位置の上方に排気口２６，２７が位置するようになっている。
【００２２】
テーブル２０の下方においては，壁面１０ｂは例えばサンドイッチパネルで構成される。テーブル２０の下方に配置される給気口２５は，壁面１０ｂの下部において幅方向に長いスリット形状になっている。この実施の形態では，床上１００ｍｍの位置に幅７００ｍｍのスリット形状の給気口２５が，５００ｍｍの間隔をおいて２つ配置してある。
【００２３】
テーブル２０よりも上方において，壁面１０ｂの下部には，多数の円孔からなる排気口２６が全体的に分布形成されている。テーブル２０よりも下方における壁面１０ｂと同様，テーブル２０よりも上方においても壁面１０ｂをサンドイッチパネルとし，その内壁面の下部に多数の排気口２６を開口させても良いが，加工上の便宜から，図示の形態では，テーブル２０よりも上方において壁面１０ｂの内壁面下部をパンチングメタル２８で構成している。この実施の形態では，テーブル２０上から８００ｍｍの高さまでをパンチングメタル２８に形成している。
【００２４】
テーブル２０よりも上方において，壁面１０ｂの上部は，喫煙室１の内部にいる喫煙者に対して視覚的に訴える部分２９となっている。図示の形態では，テーブル２０よりも上方において，壁面１０ｂのほぼ下半部に排気口２６が全体的に分布形成され，残りの上半部が視覚的に訴える部分２９に構成されている。この視覚的に訴える部分２９は，例えば，鏡やガラスなどによって喫煙者の姿を写し出す鏡面，液晶等の表示装置によって建物保有者その他のコマーシャルのビデオやスライド等により宣伝とし，その他電子商取引による商品注文をするといった宣伝・広報・商取引の機能をもつ，商業的な情報面，天気予報など喫煙者の知りたい情報を伝達するニュースの情報面，絵画や表などによって計画のチェックや注意換気，癒し等の働きかけを喫煙者に伝えるその他の情報面などの構成とされる。なお，この視覚的に訴える部分２９はホワイトボードとして構成してもよい。その場合，ホワイトボードは，用紙送り機能やコピー機能などを適宜備えていても良い。
【００２５】
上述のように，壁面１０ｂは，テーブル２０よりも下方が前後二枚の板部材で構成され，テーブル２０よりも上方が，下部の内壁面をパンチングメタル２８とする前後二枚の板部材で構成されたサンドイッチパネルである。即ち，壁面１０ｂ全体は，前後二枚の板部材からなるサンドイッチパネルで構成される。テーブル２０よりも上方において，内壁面の上部を喫煙室１内の喫煙者に対して視覚的に訴える部分２９とされている。壁面１０ｂの内部（サンドイッチパネルの内部）には，テーブル２０の高さ位置よりも下方に給気チャンバ３０が形成され，テーブル２０の高さ位置よりも上方に排気チャンバ３１が形成されている。前述の給気口２５は給気チャンバ３０に連通し，前述の排気口２６は排気チャンバ３１に連通している。なお，サンドイッチパネルで構成される壁面１０ｂの内部を適当な仕切部材３２を用いてテーブル２０の高さで上下に区画することにより，下方に給気チャンバ３０，上方に排気チャンバ３１を形成させている。また，この実施の形態では，これら給気チャンバ３０と排気チャンバ３１の幅は，２５００ｍｍである。
【００２６】
前述の視覚的に訴える部分２９は，鏡とする場合は適当な大きさの鏡を嵌め込む等して固定すればよいが，本実態形態では，視覚的に訴える部分２９として液晶画面を例示する。そのため，視覚的に訴える部分２９の背部には，排気チャンバ３１内部において，電装機器類や電線類を納めるチャンバ３１’を形成している。
【００２７】
給気チャンバ３０には，例えば喫煙室１内の隅角部（壁面１０ｂと壁面１０ａが交差する隅角部）に配置された図示しない竪ダクトが連通し，天井裏からこの竪ダクトを経て供給された空調空気が，テーブル２０の下方において給気口２５から，幅方向に長い帯状または線状の気流となって喫煙室１内に給気される。竪ダクト内は，空調機の送風動力を利用するため空洞として良いが，静圧が不足する場合には必要に応じクロスフローファンを竪ダクト内や天井裏などに設置してもよい。そして，風速０．３〜０．７ｍ／ｓｅｃの低速（本実施の形態では０．５ｍ／ｓｅｃ）で喫煙室１内に給気する。
【００２８】
なお，喫煙室１内の隅角部に配置される竪ダクトは，例えば，横断面が三角形状で喫煙室１のコーナーに立設される。例えば，竪ダクト（三角形状）の辺の長さを４００ｍｍとすれば，給気風量に比して竪ダクトの幅をとらず，喫煙者に圧迫感なく室内を有効に使用できる。
【００２９】
排気チャンバ３１の上面には，喫煙室１内の煙草煙で汚染された空気を排出するための排気ダクト３４が複数箇所に接続されている。テーブル２０よりも上方において，壁面１０ｂの下部が排気口２６を全体的に分布形成させたパンチングメタル２７で構成されているので，喫煙室１内の煙草煙で汚染された空気を，テーブル２０よりも上方において壁面１０ｂのほぼ下半部全体から排気チャンバ３１内に吸い込んで，排気ダクト３４に排気するようになっている。
【００３０】
天井面１１の上方には，壁面１０ｂ寄りの箇所に，排気チャンバ３３が形成されている。この排気チャンバ３３にも，喫煙室１内の煙草煙で汚染された空気を排出するための排気ダクト３４が複数箇所に接続されている。排気口２７は，天井面１１において壁面１０ｂ寄りの箇所に幅方向に伸びるように，壁面１０ｂとほぼ平行に設けられているので，喫煙室１内の煙草煙で汚染された空気を，天井面１１の壁面１０ｂ寄りの箇所のほぼ全体から排気チャンバ３３内に吸い込んで，排気ダクト３４に排気するようになっている。
【００３１】
これら排気口２６，２７による排気は，排気口２６，２７の吸込み面（壁面１０ｂおよび天井面１１）において，給気風速（０．３〜０．７ｍ／ｓｅｃ）よりもさらに低速で行い，例えば０．１〜０．３ｍ／ｓｅｃ（本実施の形態では平均０．２ｍ／ｓｅｃ）で吸込むようにする。また，排気量を給気量より多くすることで，喫煙室１内を負圧に保ち，室外への汚染空気の漏出を避けている。
【００３２】
また，前述のように，排気チャンバ３１内部において，視覚的に訴える部分２９の背部に電装機器類や電線類を納めるチャンバ３１’が形成されているが，このチャンバ３１’の上面にも，視覚的に訴える部分２９を構成する液晶画面などの発熱を逃がすために排気ダクト３４が接続されている。
【００３３】
また，喫煙室１内を歩き回る喫煙者に対し環境の劣化をさほど感じさせず，しかも室外への汚染空気の漏出を避けるための手段として，喫煙室１の天井部に遮蔽体４５が設けてある。遮蔽体４５は，テーブル２０と給気口２５及び排気口２６が設けられている壁面１０ｂと略平行に配置された板部材からなり，喫煙室１の上方において，排気口２６（壁面１０ｂ）および排気口２７（天井面１１）に向って流れる空気を部分的に遮るように配置される。この遮蔽体４５と喫煙室１の天井面１１との間には，開放空間４６が設けられている。本実施の形態では，遮蔽体４５として，高さ２５０ｍｍの鋼板製の板を金具を介してボルトで吊り下げており，遮蔽体４５の上端と天井面１１の間には高さ５０ｍｍの隙間（開放空間４６）が設けられている。遮蔽体４５の材質としては，例えば錘付きのビニールカーテンやステンレス板，アクリル板でもよく，これらの上部をあらかじめ切欠加工したものを天井面１１に直付けして前記開放空間４６を形成しても良い。なお，遮蔽体４５の位置は，テーブル２０と給気口２５および排気口２６の形成された壁面１０ｂとそれに対向する壁面１０ｄの略中間（本実施の形態では奥行き１８５０ｍｍに対し９５０ｍｍの位置）の幅方向いっぱいに垂下されている。そしてその下端は喫煙者の頭部より上（本実施の形態では天井高さ２５００ｍｍに対し高さ２２００ｍｍの位置）に配置されている。
【００３４】
以上のように構成された喫煙室１にあっては，テーブル２０下方の給気口２５から給気を風速０．３〜０．７ｍ／ｓｅｃの低速で吹き込み，テーブル２０上方の面積の大きい排気口２６と天井面１１の排気口２７から吸込むことで，喫煙室１内に向けて給気した空気が，壁面１０ｂに向う方向に反転して排気口２６に吸い込まれる反転流を形成し，少ない換気回数で喫煙室１内を換気できるようになる。天井面に給気口と排気口を備えたシステムでは換気回数６０回であるところ，本発明の実施の形態の喫煙室１によれば換気回数が２０回に低減した。換気回数を低減すれば，省エネルギーに寄与するほかダクトのサイズダウンにつながり設備費・運転費ともに安価になる。
【００３５】
また，給気ダクト（排気ダクト）のサイズも，上記在来手法では口径３００φのところ１７５φのスパイラルダクトの使用が可能になった。これによりダクトの梁貫通も可能となり納まりに貢献し，かつダクトワークも簡潔になる。さらに低速で排気チャンバ３１上部の略全面で吸込むため，喫煙者にドラフトを感じさせることもない。
【００３６】
また，テーブル２０上面付近で喫煙された煙は，テーブル２０よりも上方において壁面１０ｂの下部に分布して配置された排気口２６から，大部分が速やかに排出されることになる。また，熱気を含む煙草の煙は天井部に上昇する途中で下方からの新鮮空気で希釈され，天井面１１において壁面１０ｂ寄りの箇所に配置された排気口２７に吸込まれる。こうして，各排気チャンバ３１，３３に吸い込まれた空気が，排気チャンバ３１，３３内に吸い込まれ，排気ダクトに排気される。その際，テーブル２０は，気流のセパレータとして気流性状に重要な意義を有する。
【００３７】
そして，テーブル２０よりも上方において，壁面１０ｂの上部は，喫煙者に対して視覚的に訴える部分２９となっているので，喫煙室１の内部にいる喫煙者は，この視覚的に訴える部分２９を利用して有意義な時間を過ごすことができる。喫煙者は，例えば，鏡面を見ながら身だしなみを確認したり，情報面を見てコマーシャル等の情報やその他の情報を得ることができる。
【００３８】
また，喫煙者は喫煙室１内を歩行し移動する場合もある。かかる場合，そのままでは，喫煙室１の壁面１０ａ，１０ｂ，１０ｃ，１０ｄの間または天井１１及び床面１２と壁の間の隙間から煙が漏洩する。しかし，喫煙室１内に給気した空気が排気口２６，２７に向って流れる途中に遮蔽体４５を設ければ，遮蔽体４５下部で流路が絞られて，戻り流速が速くなり，浮上した煙が排気口２６，２７に向けて流れることが発明者の実験でわかった。ただし，遮蔽体４５近傍で煙溜まりができ，滞留することも同時に判明し，発明者らはさらにこの解決に取り組んだ。喫煙室１の上部，遮蔽体４５近傍の滞留空気は，入退室時の扉１５の開閉や喫煙室１の給排気停止時に漏出するおそれがあるためである。そこで，発明者らは遮蔽体４５の上部に空気の流通可能な開放空間４６を設ければよいことを見出した。この上部開口（開放空間４６）は遮蔽体４５の排気口２６の反対側に滞留した煙を排気口２６に向けて逃がすが，開口（開放空間４６）が大きすぎると煙の溜まりが逆に大きくなり，結局遮蔽体４５の高さの半分以下が最も好適（本実施態様では遮蔽体４５の１／６の高さ）であることがわかった。こうすることにより喫煙者とその衣服は煙排出の一方向流に曝されることで煙の影響を最小限に抑えられると共に，室外への煙の漏洩もほとんどなくなる。
【００３９】
以上，本発明の好ましい実施の形態を一例を示したが，本発明はここに例示した形態に限定されない。図１〜３では，テーブル２０上方において壁面１０ｂの下部に形成した排気口２６の背部に排気チャンバ３１を形成し，天井面１１に形成した排気口２７の上方に別の排気チャンバ３３を形成した例を示した。しかしながら，例えば図４に示すように，テーブル２０よりも上方における壁面１０ｂの背部と，天井面１１の壁面１０ｂ寄りの箇所を一緒に覆う逆断面Ｌ字形状の排気チャンバ５０を設けた構成としても良い。かかる構成によれば，テーブル２０上面付近で喫煙された煙を，排気口２６，２７から排気チャンバ５０内に一緒に吸い込んで排気ダクト５１に排気させることができる。
【００４０】
また，視覚的に訴える部分２９の背部に形成した電装機器類や電線類を納めるチャンバ３１’の上部に排気孔５２を設け，チャンバ３１’内の空気を，発熱による上昇気流に同伴させて排気チャンバ５０内に排出させ，排気ダクト５１に排気させるようにしても良い。
【００４１】
また，喫煙室１の天井部に設けられる遮蔽体４５は喫煙室１の天井面１１や，壁面１0ａ，１０ｃなどに固定した構成でも良いが，例えば図５に示すように，遮蔽体４５として，ロールブラインド５５を用いることができる。ロールブラインド５５は天井面に取り付けた不図示の吊金物を解して吊設される。かかる構成とすれば，市販の製品を使って簡便に隙間のある遮蔽体４５を形成できる。なお，開放空間４６としては，天井面１１からの吊具とロールブラインド５５との間の隙間を利用できる。また，図６に示すように，遮蔽体４５として，アクリル板等のケース６０内に蛍光灯などのランプ６１を内蔵させた照明を用いることができる。支持の仕方はロールブラインド５５と同様の吊設方法を例示できる。このように照明を利用すれば，遮蔽体４５として特別な部材を追加することなく，もともと必要な部材（照明）を使って遮蔽効果が得られる。また，図７に示すように，遮蔽体４５として，蛍光灯などのランプ６５に透明な垂れ幕６６を付属させた照明とすることもできる。また，遮蔽体４５は多少傾斜していてもよく，設置手段は天井面１１から垂下するほか脚付きスタンドで支持されていてもよい。その下端の高さは，室内の喫煙者が起立したときの呼吸器の高さより高く，望ましくは頭部の位置より高いと移動の邪魔にならない。またその下端はドア１５の高さより高くすることが望ましい。
【００４２】
図１〜３では，喫煙室１の周囲を仕切る壁面４面のうちの一壁面１０ｂにテーブル２０を設け，その上下に給気口２５と排気口２６，２７を設けた形態を示した。しかしながら，本発明は，喫煙室１の周囲を仕切る壁面４面のうちの一壁面１０ｂとそれに対向する他の一壁面１０ｄにテーブル２０を設け，その上下に給気口２５と排気口２６，２７をそれぞれ設けた構成としても良い。即ち，図８に示す喫煙室１’では，壁面１０ｂと，壁面１０ｂに対向する他の壁面１０ｄに，テーブル２０を設けている。また，壁面１０ｂにおいてテーブル２０の上下に給気口２５と排気口２６を設けると共に，天井面１１において壁面１０ｂ寄りの箇所に排気口２７を設け，同様に，壁面１０ｄにおいてテーブル２０の上下に給気口２５と排気口２６を設けると共に，天井面１１において壁面１０ｄ寄りの箇所に排気口２７を設けている。この実施の形態の喫煙室１’によっても，先に図１〜３で説明した喫煙室１と同様に，喫煙室１’内に向けて給気した空気が，壁面１０ｂ，１０ｄに向う方向にそれぞれ反転して排気口２６，２７に吸い込まれる反転流を形成し，少ない換気回数で喫煙室１’内を換気できるようになる。また，喫煙室１’内では，喫煙者とその衣服は煙排出の一方向流に曝されることで煙の影響を最小限に抑えられると共に，室外への煙の漏洩もほとんどなくなる。この喫煙室１’は，比較的大型の喫煙室や人数の多い喫煙室に適している。
【００４３】
その他，テーブル２０は壁面１０ｂや壁面１０ｄと一体で作りつけられていてもよいし，脚付きの別体テーブルとして壁面１０ｂや壁面１０ｄに隣接して設置されていても良い。また，壁面１０ａ，１０ｂ，１０ｃ，１０ｄ，天井１１及び床面１２，遮蔽体４５には光触媒を塗布しておき，適宜紫外線を照射可能にしておくと，汚れ対策となり清掃の頻度を低減できる。図１〜３では，天井裏から給気源と排気先を連絡する形態を説明したが，本発明は床吹き出し方式の空調システムにも適用可能である。すなわち，床吹出し空調システムは２重床空間から調和空気を床面に設けた床吹出口から（場合によりカーペットを介して）給気し，天井裏に排気するのが一般であるが，かような床吹出し空調システムに本発明を適用することもできる。
【００４４】
本発明によれば，煙草の煙が通常発生する位置を基準に給気口と排気口を設定しているため，煙草の煙は新鮮空気とともに反転流により室外へ速やかに排出される。すなわち少風量で換気ができ省エネルギーに貢献する。なお，テーブル２０の下方において喫煙室１内に給気する給気口２５を壁面１０ｂや壁面１０ｄの下部において幅方向に長いスリット形状とすることにより，幅方向に長い帯状または線状の気流を給気することができ，給気が幅方向に長い横長形状で室内に吹き出される様子となる。これにより，いわゆる置換換気と同様，床を這う気流が喫煙室１の対向面に向かって吹き出される構成となる。給気口２５は幅方向に連続した開口であってもよく，断続していてもよい。また本出願人が商品名「ＳＷＩＴ」として販売する旋回流形成機構（特開２００２−３７２２６８号公報参照）を用いてもよい。例えばダンパ（床吹き出しの場合は床面の空気取り入れ口に水平に設ける）を用いても良い。
【００４５】
本発明によれば，前述の諸利点を享受しうるほか，給排気機能と灰皿を配置させるテーブル２０が備えられていて，プレハブ化された部材として，建て込むだけで容易に喫煙室１を容易に形成できる。なお，ドア１５からのアンダーカット，その他の開口をなくし，ドア１５周囲との間をパッキンや噛みこみ構造等で気密構造をもたせる。そうすれば，外部との空気の流通をパネル間の継ぎ目のみに限定できる。また喫煙室１の周囲が非空調の場合に喫煙室１内の温熱環境を保証することができる。例えば，外来者用喫煙ブースで空調空気を取り入れるが，周囲は社内の荷捌き作業等をする空間などである場合が考えられる。また，喫煙室１を構築する際に，建物の壁面と床面を利用し，パネルは，例えば建物のコーナー部を利用する場合で床吹き出しの場合であれば，２面（コーナー以外の側面）で済む。２面の対向吹き出しタイプでも，側壁の１つに建物のガラス壁を利用すれば，３面で済む。
【産業上の利用可能性】
【００４６】
本発明は，近年の分煙の要請に応え，建物に喫煙を許容する空間をフレキシビリティ，アメニティとともに，低コストしかも省エネルギーで提供でき，建築設備として有益である。
【図面の簡単な説明】
【００４７】
【図１】本発明の実施の形態に係る喫煙室の構成を説明するための平面図である。
【図２】本発明の実施の形態に係る喫煙室の構成を説明するための正面図である。
【図３】テーブルと給気口および排気口が設けられている壁面の説明図である。
【図４】テーブルよりも上方における壁面の背部と，天井面の壁面寄りの箇所を一緒に覆う逆断面Ｌ字形状の排気チャンバを設けた実施の形態の説明図である。
【図５】ロールブラインドを用いた遮蔽体の説明図である。
【図６】照明を用いた遮蔽体の説明図である。
【図７】他の照明を用いた遮蔽体の説明図である。
【図８】一壁面とそれに対向する他の一壁面にテーブルを設け，その上下に給気口と排気口をそれぞれ設けた実施の形態の説明図である。
【符号の説明】
【００４８】
１  喫煙室
１０ａ，１０ｂ，１０ｃ，１０ｄ  壁面
１１  天井面
１２  床面
１５  ドア
２０  テーブル
２５  給気口
２６，２７  排気口
２８  パンチングメタル
２９  視覚的に訴える部分
３０  給気チャンバ
３１，３３  排気チャンバ
３２  仕切部材
４５  遮蔽体
４６  開放空間
【図１】
0004842596.tif 000002
【図２】
0004842596.tif 000003
【図３】
0004842596.tif 000004
【図４】
0004842596.tif 000005
【図５】
0004842596.tif 000006
【図６】
0004842596.tif 000007
【図７】
0004842596.tif 000008
【図８】
0004842596.tif 000009